(57)【要約】【課題】異なるメーカー間でも、容易に録画機器へのタイマー録画することが可能なテレビジョン受信機を提供する。【構成】  プログラム予約制御部と、その制御部のメモリに予め記憶した主要な他社メーカーを含むリモコンコードを記憶するメモリ部と、リモコンコードを出力する出力端子と、同出力端子に接続される有線式の赤外リモコン信号発生部と、テレビのＢＳチャンネルの映像，音声出力端子とを備えた。【選択図】  図１
2004194356.tif 000002
【特許請求の範囲】
【請求項１】
所定の時刻に、所定の番組を視聴できる番組予約機能と、外部録画機器に対し、所定の時刻に所定の番組の録画指示をする録画予約機能を具備したことを特徴とするテレビジョン受信機。
【請求項２】
番組予約と録画予約を画面上の表示に従って選択できるようになしたことを特徴とする請求項１に記載のテレビジョン受信機。
【請求項３】
同一画面上で、番組予約か録画予約かを選択できるようにした請求項２に記載のテレビジョン受信機。
【請求項４】
プログラム予約制御部と、該制御部のメモリに予め外部録画機器のリモコンコードを記憶する記憶部と、所定の時刻に所定の機能に対応する該リモコンコードを出力する出力端子と、一端を該出力端子に接続され他端に該リモコンコード出力で駆動される赤外線信号発光部が接続された有線部とを具備し、該プログラム予約制御部からの指示に応答し、該リモコンコード記憶部から必要な機能のリモコンコードを出力し、該赤外線信号発光部を駆動して該赤外線信号発光部からの出力を、該外部録画機器のリモコン受光部で受光して該外部録画機器の録画予約を制御できるようにしたことを特徴とするテレビジョン受信機。
【請求項５】
請求項４の赤外線信号発光部の波長は外部録画機器のリモコン送信機の赤外発光部の波長とほぼ同じ波長にしたことを特徴とする請求項４に記載のテレビジョン受信機。
【請求項６】
請求項４の赤外線信号発光部の発光ダイオードは少なくとも２ケ以上とし、指向性を広げる構成で接続したことを特徴とする請求項４に記載のテレビジョン受信機。
【請求項７】
請求項４において、有線部はリモコンコードを出力する出力端子側で着脱可能としたことを特徴とする請求項４に記載のテレビジョン受信機。
【請求項８】
請求項４において、ＢＳチャンネルの映像，音声出力端子を具備し、該出力端子からの映像および音声信号を、前記予約プログラム制御部、前記赤外線信号発光部、及び外部録画機器のリモコン受光部を経て該外部録画機器の入力信号とするようになし、ＢＳチャンネルの予約録画ができるようになしたことを特徴とする請求項４のテレビジョン受信機。
【請求項９】
請求項８において、プログラム予約制御部のメモリに、外部録画機器がＢＳチューナを具備するか、否かの情報を記憶する記憶部を有し、前記記憶部の外部録画機器がＢＳチューナを具備するか否かの情報に基づき、前記外部録画機器がＢＳチューナを具備する場合には、前記プログラム予約制御部は前記外部録画機器がＢＳチューナの受信信号を入力とし、前記外部録画機器がＢＳチューナを具備しない場合にはテレビジョン受信機から出力されるＢＳチャンネルの映像，音声信号を入力するように制御し、ＢＳチャンネルの録画予約を実行できるようにしたことを特徴とする請求項８のテレビジョン受信機。
【請求項１０】
請求項４において、プログラム予約制御部のメモリに複数種類の外部録画機器のリモコンコードを記憶する記憶部を有し、使用される外部録画機器に対応するリモコンコードを選択できるようになし、該プログラム予約制御部からの指示に応答し、該選択されたリモコンコードを出力するようになし、該外部録画機器の録画予約を制御するようにしたことを特徴とする請求項４，５，６，７，８，９に記載のテレビジョン受信機。
【請求項１１】
請求項４において、赤外線信号発光部には固定用部材を具備したことを特徴とするテレビジョン受信機。
【請求項１２】
プログラム予約制御部からの指示に応答して出力されるリモコンコード信号は、少なくとも外部録画機器の電源制御、チャンネル選択（または入力選択）、録画指示および停止指示である場合において、指定した録画予約開始時刻または録画予約開始時刻以前に、録画指示のリモコンコードを出力し、電源制御、チャンネル選択（または入力選択）のリモコンコードは電源制御、チャンネル選択（または入力選択）の順で且つ、録画指示のリモコンコードの出力以前に出力し、録画予約終了時刻または録画予約終了時刻以後に停止指示のリモコンコードを出力した後電源制御のリモコンコードを出力するようにしたことを特徴とする請求項４，５，６，７，８，９または１０に記載のテレビジョン受信機。
【請求項１３】
表示部を備え、番組予約と録画予約が区別して表示されるようになしたことを特徴とする請求項１，２，３，４，５，６，７，８，９，１０または１１に記載のテレビジョン受信機。
【発明の詳細な説明】
【技術分野】
【０００１】
本発明は、録画機器（本発明ではＶＴＲを例として以下記す）のタイマ録画に関するもので、テレビジョン受信機（以下テレビと記す）が、ＶＴＲに録画指示する機能を有し、テレビからの録画指示に従いＶＴＲが自動的に録画するテレビジョン受信機の録画制御に関する。
【背景技術】
【０００２】
従来、ＶＴＲによりテレビチャンネルをタイマー録画しようとする場合、ＶＴＲ側で録画予約によるタイマー録画を行っていた。これに関する公知例としては、下記特許文献1に記載のものが知られている。
【０００３】
【特許文献１】特開平１−２１２０９６号公報
【発明の開示】
【発明が解決しようとする課題】
【０００４】
上記従来技術では、例えば衛星放送（ＢＳ）チューナを内蔵していないＶＴＲでＢＳを録画しようとする場合は、ＢＳチューナ内蔵のテレビからのＢＳチャンネルの映像および音声信号出力をＶＴＲの外部入力端子に接続してＶＴＲ側でタイマー録画する必要があった。この場合の方法としては、（１）録画チャンネルがテレビの選局操作により誤って変わらないようにチャンネルを固定しておいてＶＴＲで録画する方法と、（２）テレビにＶＴＲと同様のプログラム予約機能を持たせＶＴＲと同期させて録画する方法と、（３）有線式の制御バスによるＶＴＲ側でテレビのチャンネルを制御することによりタイマー録画するような方式などがある。（１）については、録画チャンネルを固定にするため、一つのチャンネルしか録画予約できず、（２）については、テレビ側とＶＴＲ側でそれぞれプログラム予約する必要があり、手間がかかるとともに予約内容が互いに異なるような誤設定が生じやすいなどの問題があった。また、（３）については、同一メーカー同士であれば実現は容易であるが、他社の異なるメーカー同士ではメーカー間の通信手順を統一するのが困難であるなどの問題があった。
【０００５】
本発明は、異なるメーカー間でも容易にタイマー録画を可能とした制御システムを提供することを目的とする。
【課題を解決するための手段】
【０００６】
テレビに、希望する時刻に、希望するチャンネルを予約，実行する番組予約機能の他に、希望する時刻に、希望するチャンネルをＶＴＲ等外部録画機器に録画制御する録画予約機能を持たせ、ＶＴＲ等外部録画機器の録画予約の実行は、テレビとＶＴＲ等外部録画機器の間に有線、若しくは赤外線等無線の伝送路を介し、所定時刻になったら、予め予約しておいたチャネル選択をし、録画モードとする等のコマンドをテレビからＶＴＲ等外部録画機器に伝送することにより問題の解決を図った。
【０００７】
最近はあらゆる電子機器、特に家庭用電子機器には赤外線を使ったリモコンが広く普及している。テレビやＶＴＲはその典型とも思える程広く用いられている。本発明はＶＴＲのリモコンコードをテレビの内部にメモリしておき、テレビ側で希望する時刻に録画したいチャンネルを録画予約できるようにし、且つテレビに、メモリされているＶＴＲのリモコンコードにしたがいＶＴＲに赤外線リモコン信号を発生するリモコン信号発生器を用意し、予約した録画開始時間になるとテレビからリモコン信号発生器を通じてＶＴＲに対し、電源オン，チャンネル選局および録画のリモコンコードを送信し、録画終了時間になると停止および電源オフのリモコンコードを送信することにより、ＶＴＲはテレビから出されたこれらのリモコンコードに従い録画を行なう、すなわちＶＴＲはテレビから送信されるリモコンコードをＶＴＲ自身のリモコン受信機で受信し、あたかもユーザがＶＴＲ用のリモコンで録画指示しているかのように動作して録画を行なう。
【発明の効果】
【０００８】
本発明のテレビジョン受信機によれば、異なるメーカー間でも、ＢＳチューナを内蔵していないＶＴＲでもＢＳチャンネルも含めて容易にタイマー録画することができる。また、同じ予約方式により容易に番組予約もできる。
【発明を実施するための最良の形態】
【０００９】
以下、本発明の実施例を図面を参照しながら具体的に説明する。図１は本発明の一実施例であり、テレビからＶＴＲを録画制御するシステム構成を示している。同図の例は、家庭でのテレビ，ＶＴＲの一般的な設置状態を想定し、テレビ１はテレビ台２６の上に、ＶＴＲ１８はテレビ台２６の中に収納されている場合を示す。テレビ１には、接続ケーブル２１を介して、リモコン赤外線発光部２２がその先端に取付けられている。本図の例ではリモコン赤外線発光部２２は、テレビ台２６の中にＶＴＲ１８のリモコン受光部１９に近接して置かれている。リモコン赤外線発光部２２からどんな信号が出力されるかは後程詳しく述べるが、ＶＴＲ１８のリモコン受光部１９は、このリモコン赤外線発光部２２からの赤外線信号を検出し、ＶＴＲ１８の録画制御をするようにしている。
【００１０】
図２は、図１のリモコン赤外線発光部２２の内部の一例を示したものである。半球状のリモコン赤外線発光部２２の中には、赤外線発光ダイオード２３ａ，２３ｂが設けられており、指向性を少なくし、赤外線が広範囲に広がって放射されるように発光軸が互に交差するように配置されている。また同発光部２２は図２のように底面にマグネット等固定部材２２ａを取りつけてテレビ台２６やＶＴＲ１８のカバーに固定できるようにすると扱いが便利である。
【００１１】
図３は、図２のリモコン赤外線発光部２２の内部回路を示したものである。リモコン赤外線発光部２２は赤外線発光ダイオード２３ａ，２３ｂが直列に接続された例であるが、ＶＴＲ１８の赤外受光部１９とリモコン赤外線発光部２２の相対的な位置関係が変化しても動作し得るに十分な発光出力を得られればよく、図３の回路に制限されることはない。
【００１２】
図１においてリモコン赤外線発光部２２が先端に取つけられた接続ケーブル２１の他端はテレビ１に接続されるが、接続ケーブル２１はテレビ台２６の内，外にわたることになるから、テレビ１に接続される側は着脱可能である方が便利である。
【００１３】
図４はテレビ１とＶＴＲ１８の接続で本発明に係る部分のみを示した図の例である。ＶＴＲ１８がＢＳチューナを内蔵していない場合、テレビ１に内蔵するＢＳチューナで受信し、復調した映像信号および音声信号をＶＴＲ１８に供給する為のＢＳ出力端子１５をテレビ１は備えており、このＢＳ出力端子１５の出力はＶＴＲ１８の外部入力端子１７に接続ケーブル２４で結ばれＢＳチャンネルの映像，音声がＶＴＲ１８に供給される。
【００１４】
ＶＴＲ１８は、赤外線リモコンによって操作できるものを本発明の対象としており、ＶＴＲ自身のリモコン送信機（図４には示していない）からの赤外線信号を受信する為の赤外受光用フォトダイオード２０を有するリモコン受光部１９を備えている。したがってテレビ１にＶＴＲ１８のリモコンコードをメモリしておき、電源オン，チャンネル選択，録画等に対応するコードを所定周波数で変調し、リモコン信号として録画制御出力端子１６に出力すると、リモコン赤外線発光部２２を通じて赤外線リモコン信号が発せられ、この信号をリモコン受光部１９が受光して遠隔制御される。すなわちＶＴＲ１８は（図示しないが）ＶＴＲ１８自身のリモコン送信機によって操作されるのに加え、テレビ１から出力される制御信号によっても操作されることとなる。この場合、リモコン赤外線発光部２２の赤外線波長は、ＶＴＲ１８自身のリモコン送信機の赤外線波長とはほぼ等しいと伝送の効率がよく、低電力でも動作が好ましく行なわれる。
【００１５】
図５は、テレビ１の内部構成を示したものである。同図において、ＶＨＦ／ＵＨＦアンテナ２により受信した信号は、中間周波増幅・検波を含むＶ／Ｕチューナ３によりＶ／Ｕチャンネルの映像および音声信号を得る。一方、ＢＳアンテナ４により受信したＢＳチャンネルは、ＢＳアンテナ４に内蔵されたコンバータにより約１ＧＨｚの中間周波信号に変換され、中間周波増幅・検波を含むＢＳチューナ５に入力され、ＢＳチャンネルの映像・音声信号を得る。Ｖ／ＵとＢＳの映像・音声信号は、それぞれ信号切換回路６に入力され、同信号切換回路６からは、ＢＳチャンネルの映像・音声信号をＢＳ出力端子１５に供給し、信号処理回路１０に映像信号を供給する。信号処理回路１０は、信号切換回路６からの映像信号を輝度信号，色信号あるいは同期信号等に分離するとともに、輝度信号および色信号からなる映像信号に画面表示回路７からの画面表示信号をスーパーインポーズし、それをブラウン管１１の管面上に表示する。画面表示回路７は、ブラウン管面上にチャンネル番号や録画予約内容などの情報を表示するために、キャラクタジェネレータを内蔵しており、Ｒ，Ｇ，Ｂおよびブランキング信号からなる画面表示信号を信号処理回路１０に供給する。録画制御信号発生回路１４は、メインマイクロコントローラ８から、制御コマンドおよびチャンネル番号からなる情報を含むシリアル制御データにより制御され、同シリアル制御データにより生成されたリモコン信号列に変換され録画制御出力端子１６より出力される。メモリ回路９は受信可能なチャンネル番号などのチャンネル情報や、録画開始時間，録画終了時間，録画チャンネルなどの予約情報を記憶し、停電などにＡＣ電源が絶たれたときのバックアップメモリとしても使われる。メインマイクロコントローラ８は、Ｖ／Ｕチューナ３，ＢＳチューナ５，信号切換６，画面表示回路７，録画制御信号発生回路１４，メモリ回路９およびテレビ１自身のリモコン受信回路１２に接続され、それぞれの回路を制御する。テレビ１自身のリモコン受信回路１２は、赤外受光用フォトダイオード１３を有し、赤外線リモコン信号は電気信号のリモコン信号に変換する。テレビ１自身のリモコン受信回路１２から出力されたリモコン信号は、メインマイクロコントローラ８により解読され、チャンネル選局，ブラウン管面上に表示された録画予約内容の設定，修正または取消などを行う。
【００１６】
図６は、録画制御信号発生回路１４の内部構成を示したものである。同図において、サブマイクロコントローラ１４ａ内のメモリ領域１４ｇには、図１２に示すようなＶＴＲ１８の機能に対応するリモコンコードを記憶し、メインマイクロコントローラ８からのシリアル制御データにより予め定められたキャリアをリモコンコードで変調したリモコン信号を出力することができる。出力したリモコン信号は、抵抗１４ｂを通して赤外線発光ダイオード２３をドライブするドライブトランジスタ１４ｃのベース端子に接続される。抵抗１４ｄ，１４ｅは、赤外線発光ダイオード２３のドライブ電流を制限するためのものであり、抵抗１４ｆは、接続ケーブル２１の浮遊容量によりドライブトランジスタ１４ｃがオフしたときの回復時間（立ち上がり時間）が遅くなるのを防止するためのものである。また、ジャック１６ａは、録画制御出力端子１６のジャック部であり、リモコン赤外線発光部２２の先端に接続されたミニプラグなどを差し込むためのものであり、前述のような据え付け時やリモコン赤外線発光部２２不要なときは、取り外せる構造となっている。
【００１７】
図７は、リモコン送信機２５の本実施例に関する最小のキーのみを示したものである。２５ａは予約を指示するための予約キー、２５ｂはＶＴＲに指示する録画チャンネルが正しいかどうかテストするテストキー、２５ｃ〜ｌは予約の時に数字を入力したりチャンネルの選局などに使用する０〜９数字からなる１０キー、２５ｍはブラウン管面上に表示されたメニュー画面や予約設定または予約内容の選択位置を上・下・左・右方向に移動するためのカーソルキーである。
【００１８】
図１３にテレビ１のブラウン管上に表示される予約設定内容の一例を示す。テレビ１のリモコン送信機２５を、テレビ１の赤外線受光部に向けて予約キー２５ａを押すと、メインマイクロコントローラ８は、画面表示回路７に図１３（１）の予約画面を表示する。ここで、カーソルキー２５ｍの左右方向を押して、テレビ１のみの予約である番組予約か、ＶＴＲ１８に録画する録画予約なのかを選択する。予約を選択すると、テレビ画面は図１３（２）のようになり、次の項目である予約日の指定を待つこととなる。図１３（２）では録画予約が選択された場合の例で、番組予約の文字を消した表示としているか文字を消さずに他を異なる色で録画予約を残すようにしても、フラッシング等させる方法でもよい。図１３（２）で予約日を１０キー２５ｃ〜ｌで入力すると、次に図１３（３）の画面になり予約開始時間の入力待ちの画面となる。このようにして終了時間，選択チャンネル等必要事項の入力を全て終えると図１３（ｂ）の如く入力された全項目が表示され、再度予約キー２５ａを押すと予約を完了する。
【００１９】
上述の例では１項目毎にユーザが予約項目を入力する場合を示したが、このような入力方法は入力項目が多く面倒であり、加えて操作が難しいきらいがある。近年バーコードによる方式や、Ｇｅｍｓｔａｒ社のＧコードと呼ばれ日付，チャンネル，録画開始時間，録画時間をまとめて何桁かの数字でコード化し、その数字を入力して予約する簡便な方式が多く採り入れられ、そのコードが新聞，雑誌の番組欄にも多く掲載されるようになってきており、このＧコード方式を用いるともっと簡単に予約ができる。図１４はＧコード方式を採用した場合の画面の例である。図１４（１）は図８ａ（１）の場合と同様で予約キー２５ａが押された時表示され、カーソルキー２５ｍで録画予約を選択すると、同図（２）のように録画予約の文字が色を変えて表示され（図面上ではハッチ）、Ｇコードと呼ばれる予約コードの入力を促す表示をする。ユーザは新聞，雑誌等の番組欄からこの予約コードを読んで入力すると同図（３）のようになり、再度予約キー２５ａを押すと、メインマイクロコントローラ８はこの数字を解読し、日付，チャンネル，録画開始時刻，録画時間に変換し、図９に示すような予約一覧表を表示する。No.１は既に予約してある予約内容を示し、今回新たに予約した内容はNo.２のところに表示されたことを示している。ここで図９の「予約」の下に表示される「番組」又は「録画」はそれぞれ「番組予約」および「録画予約」を表わしており、「ＣＨ」の下の数字は予約チャンネルを表わし、数字の横の「Ｖ」はＶＴＲ１８で予約チャンネルを選択することを表わしている。図９は一覧表の一例であり、「番組予約」，「録画予約」の識別やテレビ１のチャンネルか、ＶＴＲ１８のチャンネルかの識別が可能であれば、これ以外の方法を用いても何等支障はない。
【００２０】
少し戻って、図１のテレビ１の前面下部にある表示ＬＥＤ２７は、テレビ１の予約内容が番組予約かあるいは、ＶＴＲ１８の録画予約かを区別して表示するＬＥＤであり、番組予約時は緑色に点灯し、録画予約時は赤色に点灯するように区別して表示するようになっている。複数の予約が行われた場合、番組予約および録画予約が同時に設定されるときがあるが、このときは、録画を優先して表示するように働き、ＬＥＤ２７は赤色に点灯する。ＴＶ用リモコン送信機２５は、テレビ１の赤外線受光部１２に向けて操作され、テレビ１のチャンネルの選局などを行ったり、ブラウン管面上に表示された番組予約や録画予約内容の設定，修正または取消などを行うためのものである。
【００２１】
次に、予約の実行について説明する。現在日付が１５日であるとすると、午前８：００になると、番組予約が入っているため、メインマイクロコントローラ８は、テレビ１の電源をオンし（ただし、電源がすでにオンしているときは状態は変わらない。）、Ｖ／Ｕチューナ３を制御して１２チャンネルを選局する。終了時刻までにリモコンなどのキー操作がなければ午前９：００の終了時間に電源をオフするように働く。午後１１：００になると、録画予約が入っているため、メインマイクロコントローラ８は、サブマイクロコントローラ１４ａに対して予めメニュー画面などで選択されたメーカーコードや電源、ＣＨおよび録画コマンドの制御信号を送る。サブマイクロコントローラ１４ａは、ＶＴＲ１８に対して、図１０（Ａ）に示すような設定された電源コマンド，ＣＨコマンドおよび録画コマンドをリモコン赤外線発光部２２から出力する。終了時間の午後１１：３０になると、同様に停止コマンドおよび電源コマンドを出力してタイマー録画を終了する。
【００２２】
この図１０（Ａ）のコマンドを出すタイミングであるが、ＲＥＣコマンドは予約開始時刻より僅かに早く、停止コマンドは予約終了時刻より僅かに遅く出力するようにすると、放送局の時刻とテレビの内蔵タイマ時刻との差を吸収でき、希望するチャンネルの録画が間違いなく行なわれる。勿論、予約開始の為の電源コマンドやＣＨコマンドは録画コマンド以前に出力され、ＲＥＣコマンドが出力される時点ではＶＴＲは録画が可能な状態でなければならないし、停止コマンドより後に電源ＯＦＦとする電源コマンドが出力されねばならないことは言うまでもない。
【００２３】
ここで、電源コマンドに対するＶＴＲの電源は、通常コマンドを受け取るごとに状態を反転するいわゆるトグル動作を行う場合が多い。このような場合は、電源コマンドに対してＶＴＲの状態が不定となることがあるため、電源オンまたは電源オフなどの単独コマンドをトグルコマンドより優先的に出力するように予め設定されている。また、トグルコマンドしかないような場合は、録画設定状態であらかじめＶＴＲの電源をオフにしておくことにより対処することができる。
【００２４】
ＢＳチャンネルの録画予約は、ＶＴＲ１８にＢＳチューナを内蔵しているか、否かによって動作が異る。使用するＶＴＲ１８がＢＳチューナを内蔵しているか、いないかの情報はユーザ自身が予めテレビ１の録画制御信号発生回路１４内のメモリに図１２のリモコンコード表と共に入力しておくか、メモリ９に入力しておく。こうしておくと録画予約時にテレビ１のチューナを使用するか、ＶＴＲのチューナを使用するかの判断ができ、ＶＴＲ１８にＢＳチューナを内蔵している場合は図９のＣＨの所に「∨」が表示され、ＶＴＲ１８がＢＳチューナを内蔵していない場合には「∨」の表示がされないようにすることができる。
【００２５】
ＶＴＲ１８がＢＳチューナを内蔵している場合の録画予約の実行は、前述のＶ／Ｕチューナの録画予約と同様にリモコン赤外線発光部２２から図１０（Ａ）のコマンドが出力されて行なわれるが、ＶＴＲ１８がＢＳチューナを内蔵していない場合にはリモコン赤外線発光部２２から図１０（Ｂ）のコマンドが出力されて録画予約が実行される。この場合、テレビ１内では予約に「∨」がないので、ＢＳチューナ５でチャンネルが選択され端子１５に映像音声信号が出力される。図１０（Ａ）と図１０（Ｂ）の間では図１０（Ａ）のＣＨコマンドが、図１０（Ｂ）では外部入力コマンドになっている点が異なる。ＶＴＲ１８がリモコン赤外線発光部２２から外部入力コマンドを受信しても外部入力の選択ができない機種もあるが、この場合にはＶＴＲ１８の入力をユーザが予め外部入力としておくことが必要である。ＶＴＲ１８が外部入力コマンドを受けると、録画信号の入力をテレビ１の端子１５に出力される選択されたＢＳチャンネルの映像，音声に切替えるので希望するＢＳチャンネルの予約録画できる。
【００２６】
ところでリモコン赤外線発光部２２から出力される信号は、各コマンドに対応するリモコンコードで所定の周波数のキャリアを変調した信号であり、図１１のようになっている。図１１（Ａ）がリモコンコード信号であり、同図（Ｂ）が所定周波数のキャリアを（Ａ）で変調した赤外リモコン信号である。同図（Ａ）には一連のデータの始まりを示すヘッダと、カスタムコードと呼ばれるメーカ又は機種毎に決められているコードがあり、それに引き続いて図１２に示したりリモコン機能に対応するデータコードが続く。ＶＴＲのカスタムコードはメーカが異なる場合に誤動作を起こさないように決めているもので図１５に示すようにメーカ別にコードを割当てている。図１５にはＶＴＲがＢＳチューナ内蔵の場合と、非内蔵の場合ではコードが異なっている場合の例である。従ってこれらメーカのカスタムコードを録画制御信号発生回路１４内のメモリに図１２のリモコンコードと併せ予め網羅的に記憶しておき、これらを選択できるようにしておくと、テレビ１とＶＴＲ１８のメーカが異なってもテレビ１から、利用するＶＴＲ１８のメーカに合わせたコードを出力することができ、録画予約が可能になる。
【００２７】
録画チャンネルが正しいかどうかの確認は、図９の表示画面上で図７のリモコン送信機２５のカーソルキー２５ｍを操作してＣＨの項を選択し、テストキー２５ｂを押すと、タイマ録画時のＣＨコマンドと同じコマンドをＶＴＲ１８に送信するようにしておくことによって行なうことができる。この場合、ＶＴＲ１８のリモコン受光部１９に対し、リモコン送信機２５のテストキー２５ｂを押した時送信する赤外線信号と、リモコン赤外線発光部２２から出力される赤外線信号が同時に入力されることとなり両方の信号で誤動作しないようテストキー２５ｂを押してから、一定時間後にリモコン赤外線発光部２２からリモコンコードで変調された赤外線信号を出力するようにしておくとよい。
【００２８】
本発明の実施例では、コントローラとしてメインマイクロコントローラ８とサブマイクロコントローラ１４ａにより構成したが、メインとサブを一つで構成することもできる。また、サブマイクロコントローラ１４ａに、主要な他社メーカーのリモコンコードを予め記憶しておく方法を説明したが、画面表示回路７で手順を表示し、テレビ１の赤外線受光部１２から使用するＶＴＲ１８のリモコンコードを読み取り、前述した電源，チャンネル，録画，停止などのコマンド記憶しておくいわゆる学習機能を持たせることによってでも構成できる。さらに、本実施例では、予約方式として数字入力による方法の場合について説明したが、リモコン送信機２５の予約キー２５ａを二度押すことにより、図７に示す数字入力による予約設定画面を飛ばして図８に示す予約一覧を直接呼び出すこともできる。このときは、予約の確認以外に、リモコン送信機２５のカーソルキー２５ｍによりチャンネル，日付，開始時間，終了時間などの修正，取消や新たな予約の設定を行うことができるため、番組の延長があった場合や新聞などの番組欄に数字化されたコードが掲載されていないチャンネルを予約する場合でも同様に予約ができる。
【図面の簡単な説明】
【００２９】
【図１】本発明の一実施例を示すシステム構成図である。
【図２】図１のリモコン赤外線発光部２２の断面図である。
【図３】図１のリモコン赤外線発光部２２の内部回路図である。
【図４】図１のシステム構成図における入出力端子とリモコン発光／受光部について示した図である。
【図５】テレビ受信機１の内部構成を示した図である。
【図６】図５の録画制御信号発生回路１４の内部構成を示した図である。
【図７】リモコン送信機２５の外観図である。
【図８】ブラウン管面上の表示例（１）である。
【図９】ブラウン管面上の表示例（２）である。
【図１０】録画制御時のコマンド手順を表す図である。
【図１１】リモコンコードのコマンドの一例を示す図である。
【図１２】ＶＴＲの機能とリモコンコードの対応の一例を示す図である。
【図１３】録画予約をする場合のブラウン管面上の表示例で予約項目毎に表示内容が埋まってゆく様示を示す図である。
【図１４】Ｇコードと呼ばれる数字コードで録画予約をする場合のブラウン管面上の表示例を示す図である。
【図１５】メーカ別に対応するカスタムコードの例を示す図である。
【符号の説明】
【００３０】
１…テレビジョン受信機、３…Ｖ／Ｕチューナ、５…ＢＳチューナ、７…画面表示回路、８…メインマイクロコントローラ、１１…ブラウン管、１４…録画制御信号発生回路、１５…ＢＳ出力端子、１６…録画制御出力端子、１８…ＶＴＲ、２２…リモコン赤外線発光部、２５…リモコン送信機。
【図１】
2004194356.tif 000003
【図２】
2004194356.tif 000004
【図３】
2004194356.tif 000005
【図４】
2004194356.tif 000006
【図５】
2004194356.tif 000007
【図６】
2004194356.tif 000008
【図７】
2004194356.tif 000009
【図８】
2004194356.tif 000010
【図９】
2004194356.tif 000011
【図１０】
2004194356.tif 000012
【図１１】
2004194356.tif 000013
【図１２】
2004194356.tif 000014
【図１３】
2004194356.tif 000015
【図１４】
2004194356.tif 000016
【図１５】
2004194356.tif 000017
【手続補正書】
【提出日】平成16年3月31日(2004.3.31)
【手続補正１】
【補正対象書類名】特許請求の範囲
【補正対象項目名】全文
【補正方法】変更
【補正の内容】
【特許請求の範囲】
【請求項１】
リモコンから送信される第１のリモコン信号を受信し、該受信された第１のリモコン信号により制御可能に構成されたテレビジョン受像機において、
外部に接続される外部録画機器のメーカに対応して設定された該外部録画機器を制御するための第２のリモコン信号を、該外部録画機器へ送信するリモコン信号送信部と、所望番組の録画開始時刻とチャンネルとを設定するための録画予約手段と、前記外部録画機器の設定に関する複数の項目を含む設定画面を表示するための設定画面表示手段と備え、
前記設定画面内における複数の項目のうち一つが選択可能であり、
前記テレビジョン受像機は、前記設定画面の表示中において、前記リモコンに設けられたテストキーが操作された場合にテスト動作が実行可能であり、
前記リモコン送信部は、
(a)前記録画予約手段で設定された前記録画開始時刻において、前記第２のリモコン信号として、前記所望番組を前記外部録画機器に録画するためのコマンドを前記外部録画機器へ送信し、
(b)前記設定画面から選択された項目に対してテストキーが操作されると、前記第２のリモコン信号として、前記設定された第２のリモコン信号で前記外部録画機器が正しく動作するかを確認するための確認コマンドを前記外部機器へ送信し、
該確認コマンドは、前記設定画面から選択された項目に対応する内容を含むことを特徴とするテレビジョン受信機。
【請求項２】
請求項１に記載のテレビジョン受信機において、前記所望番組を前記外部録画機器に録画するためのコマンドは、電源コマンド、録画コマンドを含むことを特徴とするテレビジョン受信機。
【請求項３】
前記設定画面からの項目の選択は、前記リモコンに設けられたカーソルキーで実行されることを特徴とする請求項１に記載のテレビジョン受信機。
【手続補正２】
【補正対象書類名】明細書
【補正対象項目名】０００４
【補正方法】変更
【補正の内容】
【０００４】
本発明は、異なるメーカ間でも容易にタイマー録画を可能とし、かつテレビジョン受像機側で該テレビジョン受信機と異なるメーカの外部録画機器を制御してタイマー録画を行う場合に、誤動作を防止しつつより確実に所望番組のタイマー録画を行えるようにすることを目的とする。
【手続補正３】
【補正対象書類名】明細書
【補正対象項目名】０００５
【補正方法】変更
【補正の内容】
【０００５】
上記目的を達成するための、本発明に係るテレビジョン受信機は、リモコンから送信される第１のリモコン信号を受信し、該受信された第１のリモコン信号により制御可能に構成されたテレビジョン受像機において、
外部に接続される外部録画機器のメーカに対応して設定された該外部録画機器を制御するための第２のリモコン信号を、該外部録画機器へ送信するリモコン信号送信部と、所望番組の録画開始時刻とチャンネルとを設定するための録画予約手段と、前記外部録画機器の設定に関する複数の項目を含む設定画面を表示するための設定画面表示手段と備え、
前記設定画面内における複数の項目のうち一つが選択可能であり、
前記テレビジョン受像機は、前記設定画面の表示中において、前記リモコンに設けられたテストキーが操作された場合にテスト動作が実行可能であり、
前記リモコン送信部は、
(a)前記録画予約手段で設定された前記録画開始時刻において、前記第２のリモコン信号として、前記所望番組を前記外部録画機器に録画するためのコマンドを前記外部録画機器へ送信し、
(b) 前記設定画面から選択された項目に対してテストキーが操作されると、前記第２のリモコン信号として、前記設定された第２のリモコン信号で前記外部録画機器が正しく動作するかを確認するための確認コマンドを前記外部機器へ送信し、該確認コマンドは、前記設定画面から選択された項目に対応する内容を含むことを特徴とするものである。
【手続補正４】
【補正対象書類名】明細書
【補正対象項目名】０００６
【補正方法】変更
【補正の内容】
【０００６】
上記の本発明の構成によれば、上記テスト動作により上記第２のリモコン信号の設定が正しいかを確認でき、タイマー録画の失敗を防止できる。
【手続補正５】
【補正対象書類名】明細書
【補正対象項目名】００２７
【補正方法】変更
【補正の内容】
【００２７】
以上の通り、本発明によれば、異なるメーカ間でも容易にタイマー録画を可能とし、テレビジョン受像機側で該テレビジョン受信機と異なるメーカの外部録画機器を制御してタイマー録画を行う場合に、より確実に所望番組のタイマー録画を行うことができる。